(57)【要約】【課題】対向機に専用のソフトウェアをインストールしなくても、ＮＦＣからＷｉ−Ｆｉへのハンドオーバー機能を実現できる通信装置を提供する。【解決手段】ＮＦＣによる近接場型の無線通信を利用して、ブルートゥース接続に用いられる第１接続情報（ブルートゥース・デバイス・アドレス等）が対向機（通信装置２）から取得される。対向機から取得された第１接続情報は、記憶部１４の情報テーブル１４１に登録される第１接続情報と照合される。対向機から取得された第１接続情報が情報テーブル１４１に登録された第１接続情報と一致する場合、当該登録された第１接続情報に対応付けられた第２接続情報（ＳＳＩＤ，ＭＡＣアドレス等）が情報テーブル１４１から取得される。そして、情報テーブル１４１から取得された第２接続情報に基づいて、第１接続情報を取得した対向機との間でＷｉ−Ｆｉによる無線通信の接続が確立される。【選択図】図１２
2016019277.tif 000002
【特許請求の範囲】
【請求項１】
第１の通信方式による無線通信を行う第１通信部と、
第２の通信方式による無線通信を行う第２通信部と、
前記第１の通信方式及び前記第２の通信方式より通信距離が短い近接場型の無線通信を行う近接場通信部と、
前記第１の通信方式による無線通信において接続の確立に用いられる第１接続情報と、前記第２の通信方式による無線通信において接続の確立に用いられる第２接続情報とが対応付けられた情報テーブルを記憶する記憶部と、
前記近接場型の無線通信を行う対向機から前記近接場通信部が前記第１接続情報を取得する第１の通信処理を行い、当該第１の通信処理によって前記近接場通信部が前記第１接続情報を取得すると、当該取得した第１接続情報を前記情報テーブルにおいて検索し、当該取得した第１接続情報が前記情報テーブルに登録された第１接続情報と一致するならば、当該登録された第１接続情報に対応付けられた第２接続情報を前記情報テーブルから取得し、当該取得した第２接続情報に基づいて、前記第１接続情報を取得した対向機との間で前記第２の通信方式による無線通信の接続を確立するように前記第２通信部を制御する制御部と
を有することを特徴とする通信装置。
【請求項２】
情報を表示する表示部と、
指示を入力する入力部とを有し、
前記制御部は、前記情報テーブルに前記第１接続情報及び前記第２接続情報を登録する場合、前記第２の通信方式による無線通信を行う対向機から前記第２通信部が前記第２接続情報を取得する第２の通信処理を行い、当該第２の通信処理によって前記第２通信部が少なくとも１つの対向機から前記第２接続情報を取得すると、前記取得した第２接続情報のリストを前記表示部において表示し、前記リストに含まれる一の第２接続情報を前記情報テーブルへ登録するように前記入力部において指示が入力されると、前記第１の通信処理を行い、当該第１の通信処理によって前記近接場通信部が前記第１接続情報を取得すると、当該取得した第１接続情報と前記一の第２接続情報とを対応付けて前記情報テーブルに登録する
ことを特徴とする請求項１に記載の通信装置。
【請求項３】
前記制御部は、前記リストに含まれる一の第２接続情報を選択するように前記入力部において指示が入力されると、当該一の第２接続情報を前記情報テーブルへ登録するための指示の入力を促す画面を前記表示部に表示し、当該画面の表示に従って前記登録を行うように前記入力部において指示が入力されると、前記第１の通信処理を行い、当該第１の通信処理によって前記近接場通信部が前記第１接続情報を取得すると、当該取得した第１接続情報と前記一の第２接続情報とを対応付けて前記情報テーブルに登録する
ことを特徴とする請求項２に記載の通信装置。
【請求項４】
前記制御部は、前記一の第２接続情報を前記情報テーブルへ登録するように前記入力部において指示が入力されたことに応じて前記第１の通信処理を行う場合、前記近接場通信部が対向機からの前記第１接続情報の取得を所定回数試みても前記第１接続情報を取得できないならば、前記登録を中止するための指示の入力を促す画面を前記表示部に表示し、当該画面の表示に従って前記登録を中止するように前記入力部において指示が入力されると、前記第１の通信処理による前記第１接続情報の取得を中止する
ことを特徴とする請求項２又は３に記載の通信装置。
【請求項５】
前記制御部は、前記リストに含まれる一の第２接続情報を選択するように前記入力部において指示が入力された場合、当該一の第２接続情報が既に前記情報リストに登録されているならば、当該一の第２接続情報の登録を解除するための指示の入力を促す画面を前記表示部に表示し、当該画面の表示に従って当該一の第２接続情報の登録を解除するように前記入力部において指示が入力されると、当該一の第２接続情報を前記情報リストから削除する
ことを特徴とする請求項２乃至４の何れか一項に記載の通信装置。
【請求項６】
前記第１の通信方式がブルートゥースであり、
前記第２の通信方式がＷｉ−Ｆｉである
ことを特徴とする請求項１乃至５の何れか一項に記載の通信装置。
【請求項７】
前記第１接続情報はブルートゥース・デバイス・アドレス（ｂｌｕｅｔｏｏｔｈ  ｄｅｖｉｃｅ  ａｄｄｒｅｓｓ）を含み、
前記第２接続情報はＳＳＩＤ（ｓｅｒｖｉｃｅ  ｓｅｔ  ｉｄｅｎｔｉｆｉｅｒ）及びＭＡＣアドレス（ｍｅｄｉａ  ａｃｃｅｓｓ  ｃｏｎｔｒｏｌ  ａｄｄｒｅｓｓ）を含む
ことを特徴とする請求項６に記載の通信装置。
【請求項８】
請求項１乃至７の何れか一項に記載の通信装置における前記制御部としてコンピュータを機能させるプログラム。
【発明の詳細な説明】
【技術分野】
【０００１】
本発明は、ＮＦＣなどの近接場型の無線通信を利用して、より通信距離が長く高速なブルートゥース等の無線通信の接続を確立するハンドオーバー機能を備えた通信装置に関するものである。
【背景技術】
【０００２】
近年、スマートフォンに代表される携帯型通信機器の普及に伴って、各種の電子機器に無線通信の機能が搭載されるようになってきている。例えばブルートゥース（Ｂｕｌｕｅｔｏｏｔｈ（登録商標））は、２．４ＧＨｚ帯を利用した周波数ホッピング方式による近距離無線通信の規格であり、通信距離は数ｍから数十ｍと比較的短く、通信速度は最大２４Ｍｂｐｓ（バージョン３．０）である。現在、ブルートゥースの通信機能は、スマートフォンやカーナビゲーション装置、ヘッドフォン、キーボード、マウス、プリンタなど、種々の電子機器に広く搭載されている。
【０００３】
他方、ＮＦＣ（ｎｅａｒ  ｆｉｅｌｄ  ｃｏｍｍｕｎｉｃａｔｉｏｎ）は、１３．５６ＭＨｚの周波数を利用する近接場型の無線通信方式であり、通信距離は１０ｃｍ以下と極短く、通信速度は数百Ｋｂｐｓ程度である。ＮＦＣは、「ＩＳＯ／ＩＥＣ  １８０９２（ＮＦＣ  ＩＰ−１）」や「ＩＳＯ／ＩＥＣ２１４１８（ＮＦＣ−ＩＰ２）」などの国際規格となっており、ＮＦＣ関連技術の標準化団体であるＮＦＣ  Ｆｏｒｕｍの下で、国際規格に基づく具体的な仕様が策定されている。ＮＦＣの通信機能は、電子乗車券や電子マネー、電子入場証として多くのＩＣカードに搭載されているほか、近年では、スマートフォン等のモバイル機器にも搭載されつつある。ＮＦＣを用いることにより、デバイスを対象機器に近づけるだけで簡単に無線通信を開始させることができるため、その特徴を生かして電子機器の操作性を向上させる種々の技術が開発されている。
【０００４】
例えば、接続開始時の通信にＮＦＣを利用することによって、ＮＦＣよりも通信距離が長く高速な別の無線通信の接続（認証処理等）を簡単に行うことができるようになるハンドオーバーと称される技術がある（下記特許文献１を参照）。ＮＦＣからブルートゥースへのハンドオーバーの場合、ブルートゥース機器間のペアリングに必要な情報をＮＦＣによる無線通信でやり取りすることにより、ブルートゥース機器の選択やセキュリティコードの入力などの操作が不要となり、デバイスを対象機器にかざすだけで簡単にペアリングが完了する。
【先行技術文献】
【特許文献】
【０００５】
【特許文献１】特開２０１３−１６９０１４号公報
【発明の概要】
【発明が解決しようとする課題】
【０００６】
スマートフォン等のモバイル機器の分野において主要なＯＳであるＡｎｄｒｏｉｄ（登録商標）のバージョン４．１以降では、ＮＦＣからブルートゥースへのハンドオーバー機能が標準的にサポートされている。一方、多くのスマートフォン等においてブルートゥースとともに一般的な通信機能となっているＷｉ−Ｆｉ（商標）については、現在のところ、Ａｎｄｒｏｉｄ等の主要なＯＳにおいてＮＦＣからのハンドオーバー機能はサポートされていない。
【０００７】
Ｗｉ−Ｆｉのアクセスポイントを介してモバイル機器が通信を行う場合、一般的には、画面上に表示される周辺のアクセスポイントの一覧から接続対象のアクセスポイントを選択し、当該アクセスポイントとの接続に使用される所定のセキュリティーキーを入力する面倒なセットアップ操作が必要となる。Ｗｉ−Ｆｉのセキュリティ認証方式の規格であるＷＰＳ（Ｗｉ−Ｆｉ  ｐｒｏｔｅｃｔｅｄ  ｓｅｔｕｐ）を利用すれば、モバイル機器とアクセスポイントの双方でボタンを押す操作（画面上での仮想的な操作も含む）を行ったり、モバイル機器に所定のＰＩＮコード（ｐｅｒｓｏｎａｌ  ｉｄｅｎｔｉｆｉｃａｔｉｏｎ  ｎｕｍｂｅｒ  ｃｏｄｅ）を入力したりすることによって、セキュリティーキーの入力を省略可能である。しかしながら、モバイル機器において接続対象のアクセスポイントを選択する手動の操作は、ＷＰＳを用いる場合でも必要である。
【０００８】
また、Ｗｉ−Ｆｉにおいて一対一の通信を実現する規格であるＷｉ−Ｆｉダイレクト（Ｗｉ−Ｆｉ  Ｄｉｒｅｃｔ（登録商標））の場合、通信を開始する度に、接続対象のアクセスポイントを選択する操作とＷＰＳによるセキュリティ認証が必要となる。
【０００９】
このように、ＮＦＣからＷｉ−Ｆｉへのハンドオーバー機能がＯＳによってサポートされていない現状の多くのモバイル機器では、セットアップ時に接続対象のアクセスポイントを手動で選択する操作などが必要となる。また、Ｗｉ−Ｆｉダイレクトによる一対一の通信を行う場合には、そのような手動の操作を通信の開始の度に行わねばならず、更に操作が面倒となる。
【００１０】
ＯＳによってサポートされていないＮＦＣからＷｉ−Ｆｉへのハンドオーバー機能を、専用のソフトウェア（アプリ）によって実現することも可能である。しかしながら、そのような専用アプリを用いる場合、ユーザが自ら専用アプリをインストールしなければならないためセットアップの手間が増えるという問題や、専用アプリの起動によって余分にメモリが消費されるという問題がある。
【００１１】
本発明はかかる事情に鑑みてなされたものであり、その目的は、ＮＦＣなどの近接場型の無線通信を利用して、より通信距離が長く高速なブルートゥース等の無線通信の接続を確立する機能（ハンドオーバー機能）を備えた通信装置であって、対向機側に専用のソフトウェアをインストールしなくても、上記ブルートゥース等の無線通信とは別方式（例えばＷｉ−Ｆｉ）の無線通信へのハンドオーバー機能を実現できる通信装置及びプログラムを提供することにある。
【課題を解決するための手段】
【００１２】
本発明の第１の観点に係る通信装置は、第１の通信方式による無線通信を行う第１通信部と、第２の通信方式による無線通信を行う第２通信部と、前記第１の通信方式及び前記第２の通信方式より通信距離が短い近接場型の無線通信を行う近接場通信部と、前記第１の通信方式による無線通信において接続の確立に用いられる第１接続情報と、前記第２の通信方式による無線通信において接続の確立に用いられる第２接続情報とが対応付けられた情報テーブルを記憶する記憶部と、前記近接場型の無線通信を行う対向機から前記近接場通信部が前記第１接続情報を取得する第１の通信処理を行い、当該第１の通信処理によって前記近接場通信部が前記第１接続情報を取得すると、当該取得した第１接続情報を前記情報テーブルにおいて検索し、当該取得した第１接続情報が前記情報テーブルに登録された第１接続情報と一致するならば、当該登録された第１接続情報に対応付けられた第２接続情報を前記情報テーブルから取得し、当該取得した第２接続情報に基づいて、前記第１接続情報を取得した対向機との間で前記第２の通信方式による無線通信の接続を確立するように前記第２通信部を制御する制御部とを有する。
上記の構成によれば、前記近接場型の無線通信を行う対向機から前記第１の通信処理によって前記第１接続情報が取得され、当該取得された第１接続情報が前記情報テーブルにおいて検索される。前記取得された第１接続情報が前記情報テーブルに登録された第１接続情報と一致するならば、当該登録された第１接続情報に対応付けられた第２接続情報が前記情報テーブルから取得され、当該取得された第２接続情報に基づいて、前記第１接続情報を取得した対向機との間で前記第２の通信方式による無線通信の接続が確立される。
従って、前記近接場型の無線通信により前記第１接続情報を取得する前記第１の通信処理に対応した対向機であれば、前記近接場型の無線通信により当該対向機から前記第１接続情報を取得する簡単な操作によって、当該対向機との間で前記第２の通信方式による無線通信の接続が確立される。この場合、前記近接場型の無線通信によって前記第２の通信方式による無線通信の接続を確立するハンドオーバー機能が、前記対向機に専用のソフトウェアをインストールすることなく実現される。
【００１３】
好適に、上記通信装置は、情報を表示する表示部と、指示を入力する入力部とを有してよい。前記制御部は、前記情報テーブルに前記第１接続情報及び前記第２接続情報を登録する場合、前記第２の通信方式による無線通信を行う対向機から前記第２通信部が前記第２接続情報を取得する第２の通信処理を行ってよい。当該第２の通信処理によって前記第２通信部が少なくとも１つの対向機から前記第２接続情報を取得すると、前記制御部は、前記取得した第２接続情報のリストを前記表示部において表示してよい。前記リストに含まれる一の第２接続情報を前記情報テーブルへ登録するように前記入力部において指示が入力されると、前記制御部は、前記第１の通信処理を行ってよい。当該第１の通信処理によって前記近接場通信部が前記第１接続情報を取得すると、前記制御部は、当該取得した第１接続情報と前記一の第２接続情報とを対応付けて前記情報テーブルに登録してよい。
上記の構成によれば、前記第２の通信方式による無線通信を行う対向機から前記第２の通信処理によって前記第２接続情報が取得され、当該第２の通信処理により少なくとも１つの対向機から取得された前記第２接続情報のリストが前記表示部において表示される。前記リストに含まれる一の第２接続情報を前記情報テーブルへ登録する指示が前記入力部に入力されると、前記近接場型の無線通信によって前記第１接続情報を取得する前記第１の通信処理が行われる。前記第１の通信処理によって前記第１接続情報が取得されると、当該取得された第１接続情報と前記一の第２接続情報とが対応付けられて前記情報テーブルに登録される。
従って、前記表示部に表示される前記リストにおいて登録対象となる前記一の第２接続情報を選択する操作と、前記近接場型の無線通信によって対向機から前記第１接続情報を取得する操作だけで、前記第１接続情報及び前記第２接続情報が前記情報テーブルへ簡単に登録される。
【００１４】
好適に、前記制御部は、前記リストに含まれる一の第２接続情報を選択するように前記入力部において指示が入力されると、当該一の第２接続情報を前記情報テーブルへ登録するための指示の入力を促す画面を前記表示部に表示してよい。当該画面の表示に従って前記登録を行うように前記入力部において指示が入力されると、前記制御部は、前記第１の通信処理を行ってよい。当該第１の通信処理によって前記近接場通信部が前記第１接続情報を取得すると、前記制御部は、当該取得した第１接続情報と前記一の第２接続情報とを対応付けて前記情報テーブルに登録してよい。
上記の構成によれば、前記リストに含まれる一の第２接続情報を選択する指示が前記入力部において入力された場合、直ちに前記第１処理が行われるのではなく、当該一の第２接続情報を前記情報テーブルへ登録するための指示の入力を促す画面が前記表示部に表示される。当該画面の表示に従って前記登録を行うように前記入力部において指示が入力されると、前記第１の通信処理が行われる。そのため、前記リスト中から一の第２接続情報を選択する指示の入力後、当該指示にミスがあるか否かを前記表示部の画面で確認することが可能となる。
【００１５】
好適に、前記制御部は、前記一の第２接続情報を前記情報テーブルへ登録するように前記入力部において指示が入力されたことに応じて前記第１の通信処理を行う場合、前記近接場通信部が対向機からの前記第１接続情報の取得を所定回数試みても前記第１接続情報を取得できないならば、前記登録を中止するための指示の入力を促す画面を前記表示部に表示してよい。当該画面の表示に従って前記登録を中止するように前記入力部において指示が入力されると、前記制御部は、前記第１の通信処理による前記第１接続情報の取得を中止してよい。
上記の構成によれば、前記第１の通信処理において対向機からの前記第１接続情報の取得を所定回数試みても前記第１接続情報を取得できない場合、前記登録を中止するための指示の入力を促す画面が前記表示部に表示される。当該画面の指示に従って前記登録を中止する指示が前記入力部に入力されると、前記第１の通信処理による前記第１接続情報の取得が中止される。
従って、例えば対向機が前記近接場型の無線通信によって前記第１接続情報を取得できない機器である場合や、対向機が前記近接場型の無線通信ができない離れた位置にある場合などにおいて、前記入力部への指示の入力により前記登録を中止することが可能となる。
【００１６】
好適に、前記制御部は、前記リストに含まれる一の第２接続情報を選択するように前記入力部において指示が入力された場合、当該一の第２接続情報が既に前記情報リストに登録されているならば、当該一の第２接続情報の登録を解除するための指示の入力を促す画面を前記表示部に表示してよい。当該画面の表示に従って当該一の第２接続情報の登録を解除するように前記入力部において指示が入力されると、前記制御部は、当該一の第２接続情報を前記情報リストから削除してよい。
上記の構成によれば、既に前記情報リストに登録されている前記第２接続情報を、前記入力部への指示の入力によって前記情報リストから削除することが可能となる。
【００１７】
好適に、前記第１の通信方式はブルートゥースであってよい。また、前記第２の通信方式はＷｉ−Ｆｉであってよい。
この場合、前記第１接続情報はブルートゥース・デバイス・アドレス（ｂｌｕｅｔｏｏｔｈ  ｄｅｖｉｃｅ  ａｄｄｒｅｓｓ）を含んでよく、前記第２接続情報はＳＳＩＤ（ｓｅｒｖｉｃｅ  ｓｅｔ  ｉｄｅｎｔｉｆｉｅｒ）及びＭＡＣアドレス（ｍｅｄｉａ  ａｃｃｅｓｓ  ｃｏｎｔｒｏｌ  ａｄｄｒｅｓｓ）を含んでよい。
【００１８】
本発明の第２の観点に係るプログラムは、上記本発明の第１の観点に係る通信装置における前記制御部としてコンピュータを機能させる。
【発明の効果】
【００１９】
本発明によれば、ＮＦＣなどの近接場型の無線通信を利用してブルートゥース等の無線通信の接続を確立するハンドオーバー機能を備えた通信装置において、対向機側に専用のソフトウェアをインストールしなくても、上記ブルートゥース等の無線通信とは別方式（Ｗｉ−Ｆｉ等）の無線通信へのハンドオーバー機能を実現することができる。
【図面の簡単な説明】
【００２０】
【図１】図１は、本発明の実施形態に係る通信システムの一例を示す図である。図１Ａは、２つの通信装置においてブルートゥース又はＷｉ−Ｆｉによる無線通信が行われる場合を示す。図１Ｂは、２つの通信装置においてＮＦＣによる近接場型の無線通信が行われる場合を示す。
【図２】図２は、本発明の実施形態に係る通信装置の構成の一例を示す図である。
【図３】図３は、記憶部の情報テーブルに第１接続情報及び第２接続情報を登録する動作及び当該登録を解除する動作について説明するための第１のフローチャートである。
【図４】図４は、記憶部の情報テーブルに第１接続情報及び第２接続情報を登録する動作及び当該登録を解除する動作について説明するための第２のフローチャートである。
【図５】図５は、記憶部の情報テーブルに第１接続情報及び第２接続情報を登録する動作及び当該登録を解除する動作について説明するための第３のフローチャートである。
【図６】図６は、表示部の画面に表示される第２接続情報のリストの例を示す図である。
【図７】図７は、リストから選択された第２接続情報が情報テーブルに登録済であった場合に表示するウィンドウの一例を示す図である。
【図８】図８は、リストから選択された第２接続情報が情報テーブルに未登録であった場合に表示するウィンドウの一例を示す図である。
【図９】図９は、第１接続情報の取得に失敗したことを示すウィンドウの一例を示す図である。
【図１０】図１０は、ＮＦＣからＷｉ−Ｆｉへのハンドオーバー動作について説明するためのフローチャートである。
【図１１】図１１は、図１に示す通信システムにおいて通信装置の情報テーブルに接続情報を新規登録する場合の動作の一例を説明するための図である。
【図１２】図１２は、図１に示す通信システムにおけるＮＦＣからＷｉ−Ｆｉへのハンドオーバーの動作例を説明するための図である。
【発明を実施するための形態】
【００２１】
図１は、本発明の実施形態に係る通信システムの一例を示す図である。図１に示す通信システムは、それぞれ異なる複数の通信方式によって無線通信を行うことが可能な通信装置１と少なくとも１つの通信装置２を有する。図１の例において、通信装置１と通信装置２は、ブルートゥース及びＷｉ−Ｆｉによる無線通信を行うことが可能であるとともに、ＮＦＣによる近接場型の無線通信を行うことが可能である。
【００２２】
通信装置１及び通信装置２の少なくとも一方はスマートフォン等のモバイル機器であり、ＮＦＣによる無線通信を行う場合に両者を接触する程度の距離まで接近させることができる。例えば図１に示すように、通信装置２をスマートフォン等のモバイル機器とした場合、通信装置１はカーナビゲーション装置やテレビジョン装置などの非モバイル機器でもよいし、スマートフォンやノートＰＣなどのモバイル機器でもよい。
【００２３】
通信装置１と通信装置２は、ＮＦＣからブルートゥースへのハンドオーバー機能（例えば、ＮＦＣ  Ｆｏｒｕｍにおいて策定された技術仕様に基づくハンドオーバー機能）を有しているが、ＮＦＣからＷｉ−Ｆｉへの直接的なハンドオーバー機能は有していない。そこで、本発明の実施形態に係る通信装置１では、ＮＦＣからブルートゥースへのハンドオーバーにより得られる情報を利用することによって、通信装置２に専用のソフトウェア（アプリ）をインストールすることなく、ＮＦＣからＷｉ−Ｆｉへの間接的なハンドオーバー機能を実現する。
【００２４】
図２は、本実施形態に係る通信装置１の構成の一例を示す図である。図２に示す通信装置１は、ブルートゥースによる無線通信を行う第１通信部１１と、Ｗｉ−Ｆｉによる無線通信を行う第２通信部１２と、ＮＦＣによる近接場型の無線通信を行う近接場通信部１３と、記憶部１４と、ディスクドライブ部１５と、入力部１６と、表示部１７と、音声出力部１８と、制御部１９を有する。
【００２５】
第１通信部１１は、通信装置２との間でブルートゥースによる無線通信を行う。具体的には、第１通信部１１は、ＩＥＥＥ８０２．１５．１として規格化され、Ｂｌｕｅｔｏｏｔｈ  Ｓｐｅｃｉａｌ  Ｉｎｔｅｒｅｓｔ  Ｇｒｏｕｐ  （ＳＩＧ）によって策定された技術仕様に準拠した無線通信を行う。
【００２６】
第２通信部１２は、通信装置２との間でＷｉ−Ｆｉによる無線通信を行う。具体的には、第２通信部１２は、ＩＥＥＥ８０２．１１として規格化され、Ｗｉ−Ｆｉ  Ａｌｌｉａｎｃｅによって策定された技術仕様に準拠した無線通信を行う。
【００２７】
近接場通信部１３は、通信装置２との間でＮＦＣによる近接場型の無線通信を行う。具体的には、近接場通信部１３は、ＩＳＯ／ＩＥＣ  １８０９２（ＮＦＣ  ＩＰ−１）として規格化され、ＮＦＣ  Ｆｏｒｕｍによって策定された技術仕様に準拠した近接場型の無線通信を行う。
【００２８】
また、近接場通信部１３は、通信装置２との間でＷｉ−Ｆｉダイレクトによる一対一の通信を行うこともできる。より具体的には、近接場通信部１３は、Ｗｉ−Ｆｉダイレクトに基づく一対一通信において、ＮＦＣ  Ｆｏｒｕｍが策定した映像・音声の伝送規格であるミラキャスト（Ｍｉｒａｃａｓｔ（登録商標））に基づいた通信を行い、通信装置２から伝送される映像・音声データを処理する。これにより、通信装置１は、自機のディスプレイやスピーカにおいて、通信装置２から供給される映像・音声データを再生することができる。
【００２９】
なお、第１通信部１１，第２通信部１２，近接場通信部１３は、それぞれ所定の通信方式に従った信号処理（信号増幅、帯域制限、変調・復調、符号化・復号化、パケット化、暗号化・復号化など）を行うが、そのうちのデジタル信号処理については、全てを専用のハードウェア（ＡＳＩＣ等）で行ってもよいし、一部の処理をコンピュータ（例えば制御部１９の機能を担うコンピュータ）において行ってもよい。
【００３０】
記憶部１４は、通信装置１における処理や制御に用いられるデータや、処理過程で一時的に利用されるデータなどを記憶する装置であり、ＦＲＡＳＨメモリなどの不揮発性メモリや、ＤＲＡＭ，ＳＲＡＭなどの揮発性メモリ、リードオンリーメモリ（ＲＯＭ）、ハードディスク装置などを含んで構成される。
【００３１】
記憶部１４は、図２において示すように、第１接続情報と第２接続情報とが対応付けられた情報テーブル１４１を記憶する。
第１接続情報は、ブルートゥースによる無線通信において接続の確立（ペアリング）に用いられる情報であり、具体的には、ブルートゥース通信において個々の通信機を識別する情報であるブルートゥース・デバイス・アドレス（ｂｌｕｅｔｏｏｔｈ  ｄｅｖｉｃｅ  ａｄｄｒｅｓｓ）を含む。
第２接続情報は、Ｗｉ−Ｆｉによる無線通信において接続の確立に用いられる情報であり、具体的には、ＳＳＩＤ（ｓｅｒｖｉｃｅ  ｓｅｔ  ｉｄｅｎｔｉｆｉｅｒ）とＭＡＣアドレス（ｍｅｄｉａ  ａｃｃｅｓｓ  ｃｏｎｔｒｏｌ  ａｄｄｒｅｓｓ）を含む。
【００３２】
記録媒体インターフェース部１５は、外部の記録媒体２０にアクセスするためのインターフェース装置であり、例えばＤＶＤなどのディスク型記録媒体にアクセスするディスクドライブ装置や、ＵＳＢメモリにアクセスするためのＵＳＢインターフェース回路などを含む。
【００３３】
入力部１６は、ユーザの指示を入力するための機器であり、例えば後述する表示部１７の画面上に設けられたタッチセンサや、タッチパッド、マウス、キーボード、操作ボタンなどを含む。
【００３４】
表示部１７は、映像信号に応じた映像を表示する装置であり、例えば液晶ディスプレイや映像信号を処理する回路などを含む。
【００３５】
音声出力部１８は、オーディオ信号に応じた音声を出力する装置であり、例えばスピーカやオーディオ信号処理回路などを含む。
【００３６】
制御部１９は、通信装置１の全体的な動作を制御する回路であり、例えばプログラムの命令コードに従って処理を実行するコンピュータを含んで構成される。このプログラムは、例えば記憶部１４のハードディスクや不揮発性メモリ、コンピュータ読み取り可能で非一時的な記録媒体２０（記録ディスク、ＵＳＢメモリ等）などに格納される。プログラムの実行時には、記憶部１４のＤＲＡＭ等にプログラムが適宜ロードされ、コンピュータのマイクロプロセッサによってプログラム中の命令コードが順次に読み出されて実行される。
【００３７】
制御部１９は、具体的には、ＮＦＣによる通信を利用して、通信装置２との間でＷｉ−Ｆｉによる通信（例えばミラキャスト）の接続を確立するハンドオーバーを行う。
まず制御部１９は、通信装置２とＮＦＣによる通信を行うように近接場通信部１３を制御し、通信装置２がサポートしているＮＦＣからブルートゥースへのハンドオーバー機能を利用して、ブルートゥース通信の接続の確立（ペアリング）に必要な第１接続情報（ブルートゥース・デバイス・アドレス等）を通信装置２から取得する処理（第１の通信処理）を行う。この第１の通信処理によって通信装置２から第１接続情報を取得すると、制御部１９は、取得した第１接続情報を記憶部１４の情報テーブル１４１において検索する。通信装置２から取得した第１接続情報が情報テーブル１４１に登録された第１接続情報と一致する場合、制御部１９は、この登録された第１接続情報に対応付けられた第２接続情報（ＳＳＩＤ，ＭＡＣアドレス等）を情報テーブル１４１から取得する。制御部１９は、情報テーブル１４１から取得した第２接続情報に基づいて、第１接続情報を取得した通信装置２との間でＷｉ−Ｆｉによる無線通信の接続を確立するように第２通信部１２を制御する。
【００３８】
また、制御部１９は、情報テーブル１４１に第１接続情報及び第２接続情報を登録する処理も行う。
この場合、制御部１９は、Ｗｉ−Ｆｉによる無線通信が可能な周辺の通信装置（通信装置２を含む）を第２通信部１２が探索して、Ｗｉ−Ｆｉ接続に用いられる第２接続情報（ＳＳＩＤ，ＭＡＣアドレス）を周辺の通信装置から取得する処理（第２の通信処理）を行う。この第２の通信処理によって、通信装置２を含む少なくとも１つの通信装置（対向機）から第２接続情報を取得すると、制御部１９は、取得した第２接続情報のリストを表示部１７の画面に表示する（図６）。画面に表示されたリストに含まれる一の第２接続情報（通信装置２の第２接続情報）を情報テーブル１４１へ登録するように入力部１６においてユーザの指示が入力されると、制御部１９は、通信装置２とＮＦＣによる通信を行うように近接場通信部１３を制御して、ブルートゥース通信のペアリングに用いられる第１接続情報（ブルートゥース・デバイス・アドレス等）を通信装置２から取得する（第１の通信処理）。この第１の通信処理によって通信装置２から第１接続情報を取得すると、制御部１９は、取得した第１接続情報と、ユーザに登録を指示された第２接続情報とを対応付けて記憶部１４の情報テーブル１４１に登録する。
【００３９】
ここで、上述した構成を有する通信装置１におけるＮＦＣからＷｉ−Ｆｉへのハンドオーバーに関わる動作について説明する。
【００４０】
図３〜図５は、記憶部１４の情報テーブル１４１に第１接続情報及び第２接続情報を登録する動作及び当該登録を解除する動作について説明するためのフローチャートである。
通信装置１は、入力部１６から入力されるユーザの指示に応じて、情報テーブル１４１への情報の登録（若しくはその解除）を行う所定の動作モードに移行することができる。この動作モードに移行した場合、制御部１９は、Ｗｉ−Ｆｉによる無線通信が可能な周辺の通信装置を探索するように第２通信部１２を制御して、それぞれの通信装置から第２接続情報（ＳＳＩＤ，ＭＡＣアドレス等）を取得する第２の通信処理を行う（ＳＴ１００）。第２の通信処理によって周辺の通信装置から第２接続情報を取得すると、制御部１９は、その取得した第２接続情報のリストを表示部１７の画面に表示する（ＳＴ１０３）。
【００４１】
図６は、表示部１７の画面上に表示される第２接続情報のリストの例を示す図である。図６の例では、Ｗｉ−Ｆｉによる無線通信が可能な３つの通信装置のＳＳＩＤ（ＡＬＰＳ＿ｘｘｘ，ＡＬＰＳ＿ｙｙｙ，ＡＬＰＳ＿ｚｚｚ）が表示部１７の画面３においてリスト３２として表示されている。制御部１９は、例えば画面３の上部に配されたボタン３１をユーザの操作によって押下された場合、ステップＳＴ１００の通信処理を実行する。
【００４２】
制御部１９は、表示部１７にリストを表示した状態で、入力部１６からの指示の入力を待つ（ＳＴ１０６，ＳＴ１０９）。リストの中から登録対象（若しくは登録解除対象）として一の第２接続情報を選択するように入力部１６から指示が入力されると、制御部１９は、後述するステップＳＴ１１２へ進む（ＳＴ１０６）。他方、情報テーブル１４１への登録（若しくはその解除）を行う動作モードを終了するための指示が入力部１６において入力されると、制御部１９はこの動作モードを終了し、別の動作モードに移行する（ＳＴ１０９）。
【００４３】
リストにおいて一の第２接続情報が選択されると、制御部１９は、当該一の第２接続情報が情報テーブル１４１に登録済であるか否か判定する（ＳＴ１１２）。登録済の場合、制御部１９はステップＳＴ１１５に移行し、登録の解除又Ｗｉ−Ｆｉ通信の接続開始に関わる処理を行う（ＳＴ１１５〜ＳＴ１２７）。他方、選択された第２接続情報が情報テーブル１４１に未登録の場合、制御部１９はステップＳＴ１３３に移行し、情報テーブル１４１への新規登録に関わる処理を行う（ＳＴ１３３〜ＳＴ１５４）。
【００４４】
選択された第２接続情報が登録済のためにステップＳＴ１１２からステップＳＴ１１５へ移行すると、制御部１９は、当該選択された第２接続情報の具体的な内容を表示するウィンドウを表示部１７に表示する。図７は、リストから選択された第２接続情報が情報テーブルに登録済であった場合に表示するウィンドウ（デバイス情報ウィンドウ６）の一例を示す図である。このデバイス情報ウィンドウ６には、リストから選択した第２接続情報の具体的な内容（ＳＳＩＤとＭＡＣアドレス）が記載されるとともに、ユーザの指示の入力を促す３つのボタン（登録解除ボタン６１，キャンセルボタン６２，接続開始ボタン６３）が配置される。制御部１９は、表示部１７にデバイス情報ウィンドウ６を表示した状態で、入力部１６からの指示の入力を待つ（ＳＴ１１８，ＳＴ１２４，ＳＴ１３０）。
入力部１６の操作によって登録解除ボタン６１が押下された場合（ＳＴ１１８）、制御部１９は、当該第２接続情報とこれに対応付けられた第１接続情報を情報テーブル１４１から削除する（ＳＴ１２１）。
接続開始ボタン６３が押下された場合（ＳＴ１２４）、制御部１９は、当該第２接続情報に基づいて対向機（通信装置２）とのＷｉ−Ｆｉ通信（例えばミラキャストによる一対一通信）の接続を確立する処理を行う。
キャンセルボタン６２が押下された場合（ＳＴ１３０）、制御部１９は、ステップＳＴ１１５で表示したデバイス情報ウィンドウ６を閉じて、最初のステップＳＴ１００に戻る。
【００４５】
他方、選択された第２接続情報が未登録のためにステップＳＴ１１２からステップＳＴ１３３へ移行した場合も、制御部１９は、当該選択された第２接続情報の具体的な内容を表示するウィンドウを表示部１７に表示する。図８は、リストから選択された第２接続情報が情報テーブルに未登録であった場合に表示するウィンドウ（デバイス情報ウィンドウ４）の一例を示す図である。このデバイス情報ウィンドウ４には、リストから選択した第２接続情報の具体的な内容（ＳＳＩＤとＭＡＣアドレス）が記載されるとともに、ユーザの指示の入力を促す２つのボタン（登録ボタン４１，キャンセルボタン４２）が配置される。制御部１９は、表示部１７にデバイス情報ウィンドウ４を表示した状態で、入力部１６からの指示の入力を待つ（ＳＴ１３６，ＳＴ１３９）。
キャンセルボタン４２が押下された場合（ＳＴ１３６）、制御部１９は、ステップＳＴ１３３で表示したデバイス情報ウィンドウ４を閉じて、最初のステップＳＴ１００に戻る。
登録ボタン４１が押下された場合（ＳＴ１３９）、制御部１９は、次に述べるステップＳＴ１４２に移行する。
【００４６】
ステップＳＴ１４２において、制御部１９は、ＮＦＣからブルートゥースへのハンドオーバー機能を利用して、ブルートゥース通信の接続の確立（ペアリング）に必要な第１接続情報（ブルートゥース・デバイス・アドレス等）を対向機（通信装置２）から取得する第１の通信処理を行う。具体的には、制御部１９は、ブルートゥースへのハンドオーバー要求を近接場通信部１３から送信し、これに対する対向機（通信装置２）からの応答を近接場通信部１３において受信する。
【００４７】
ハンドオーバー要求に応答した対向機（通信装置２）から第１接続情報を取得することができた場合（ＳＴ１４５）、制御部１９は、当該取得した第１接続情報とステップＳＴ１０６で選択された第２接続情報とを対応付けて情報テーブル１４１に登録する（ＳＴ１４８）。情報テーブル１４１への登録を行うと、制御部１９は、ステップＳＴ１３３で表示したデバイス情報ウィンドウ４を閉じて、最初のステップＳＴ１００に戻る。
【００４８】
ハンドオーバー要求に対して対向機（通信装置２）から受信した応答が、ブルートゥースへのハンドオーバーの無効を示すものであった場合、制御部１９は、後述するステップＳＴ１５７に移行する。
また、ハンドオーバー要求を送信した後、一定時間待っても対向機（通信装置２）からの応答を受信できない場合、制御部１９は、再びステップＳＴ１４２に戻って、ハンドオーバー要求を近接場通信部１３から送信する。制御部１９は、ハンドオーバー要求を送信して対向機（通信装置２）からの応答を待つ処理を繰り返し、その試行回数が所定の最大値に達すると（ＳＴ１５４）、次に述べるステップＳＴ１５７に移行する。
【００４９】
ステップＳＴ１５７において、制御部１９は、第１接続情報の取得に失敗したことを示すエラー表示用のウィンドウを表示部１７に表示する。図９は、そのエラー表示用ウィンドウ５の一例を示す図である。図９に示すエラー表示用ウィンドウ５には、対向機（図９の例ではスマートフォン）においてＮＦＣからブルートゥースへのハンドオーバー機能が有効になっているか確認を促すメッセージ（「スマートフォンのＮＦＣが有効になっているかご確認下さい。」）、並びに、対向機を近接場通信部１３へ近づけるように促すメッセージ（「スマートフォンを本機にタッチさせて下さい。」）が表示される。また、エラー表示用ウィンドウ５の下部には、登録を中止するためのキャンセルボタン５１が配置されている。
【００５０】
表示部１７にエラー表示用ウィンドウ５を表示している間、制御部１９は、ステップＳＴ１４２と同じ処理（対向機から第１接続情報を取得する第１の通信処理）を繰り返し行う（ＳＴ１６０）。ハンドオーバー要求に応答した対向機（通信装置２）から第１接続情報を取得することができた場合（ＳＴ１６３）、制御部１９は、当該取得した第１接続情報とステップＳＴ１０６で選択された第２接続情報とを対応付けて情報テーブル１４１に登録する（ＳＴ１６６）。キャンセルボタン５１が押下された場合（ＳＴ１６９）、制御部１９は、ステップＳＴ１５７で表示したエラー表示用ウィンドウ５を閉じて、最初のステップＳＴ１００に戻る。
【００５１】
図１０は、通信装置１におけるＮＦＣからＷｉ−Ｆｉへのハンドオーバー動作について説明するためのフローチャートである。図１０のフローチャートに示す動作は、ＮＦＣからＷｉ−Ｆｉへのハンドオーバー機能が有効になっている場合に繰り返し実行される。
【００５２】
制御部１９は、ＮＦＣからＷｉ−Ｆｉへのハンドオーバー機能が有効となるように設定されている場合（ＳＴ２００）、既に説明したステップＳＴ１４２やステップＳＴ１６０と同じ処理（対向機から第１接続情報を取得する第１の通信処理）を行う（ＳＴ２０３）。対向機（通信装置２）から第１接続情報を取得できた場合（ＳＴ２０６）、制御部１９は、取得した第１接続情報を情報テーブル１４１において検索する（ＳＴ２０９）。検索の結果、対向機（通信装置２）から取得した第１接続情報が情報テーブル１４１に登録された第１接続情報と一致している場合、制御部１９は、この登録された第１接続情報に対応付けられた第２接続情報を情報テーブル１４１から取得する（ＳＴ２１５）。そして、制御部１９は、情報テーブル１４１から取得した第２接続情報に基づいて、対向機（通信装置２）とのＷｉ−Ｆｉ通信（例えばミラキャストによる一対一通信）の接続を確立する処理を行う（ＳＴ２１８）。
【００５３】
図１１は、上述した通信システムにおいて通信装置１の情報テーブル１４１に接続情報を新規登録する場合の動作例を説明するための図である。
まず通信装置１は、Ｗｉ−Ｆｉ通信可能な周辺の通信装置（通信装置２を含む）に対して、Ｗｉ−Ｆｉによる無線通信の接続を確立するために必要な第２接続情報（ＳＳＩＤ，ＭＡＣアドレス等）を要求する信号を送信する（ＳＴ３００）。この信号を受信した通信装置２は、第２接続情報を通信装置１に送信する（ＳＴ３０３）。
【００５４】
通信装置１は、周辺の通信装置から取得した第２接続情報のリストを表示部１７に表示する。このリストを確認したユーザは、登録対象の通信装置２に対応する一の第２接続情報を選択し、当該一の第２接続情報を情報テーブル１４１へ登録するように入力部１６から指示を入力する（ＳＴ３０６）。ユーザの指示を入力した通信装置１は、ＮＦＣからブルートゥースへのハンドオーバー要求を近接場の無線信号として通信装置２に送信する（ＳＴ３０９）。近接場の無線通信が可能な距離まで通信装置２が通信装置１に近づくと、通信装置２は通信装置１へ第１接続情報を送信する（ＳＴ３１２）。通信装置２から第１接続情報を取得した通信装置１は、当該取得した第１接続情報と、ユーザにより選択された第２接続情報とを対応付けて情報テーブル１４１に登録する（ＳＴ３１５）。
【００５５】
図１２は、上述した通信システムにおけるＮＦＣからＷｉ−Ｆｉへのハンドオーバーの動作例を説明するための図である。
まず通信装置１は、ＮＦＣからブルートゥースへのハンドオーバー要求を近接場の無線信号として通信装置２に送信する（ＳＴ４００）。近接場の無線通信が可能な距離まで通信装置２が通信装置１に近づくと、通信装置２は通信装置１へ第１接続情報を送信する（ＳＴ４０３）。通信装置２から第１接続情報を取得した通信装置１は、当該取得した第１接続情報を情報テーブル１４１において検索し、これに対応する第２接続情報を情報テーブル１１４１から取得する（ＳＴ４０６）。通信装置１は、情報テーブル１４１から取得した第２接続情報に基づいて、Ｗｉ−Ｆｉ通信（例えばミラキャストによる一対一通信）の接続要求を通信装置２に送信する（ＳＴ４０９）。以降、通信装置１と通信装置２との間でＷＰＳ等のセキュリティ認証処理が行われ、Ｗｉ−Ｆｉ通信が確立する（ＳＴ４１２）。
【００５６】
以上説明したように、本実施形態に係る通信装置１によれば、ＮＦＣによる近接場型の無線通信を利用して、ブルートゥース接続に用いられる第１接続情報（ブルートゥース・デバイス・アドレス等）が対向機（通信装置２）から取得される。対向機から取得された第１接続情報は、記憶部１４の情報テーブル１４１に登録される第１接続情報と照合される。対向機から取得された第１接続情報が情報テーブル１４１に登録された第１接続情報と一致する場合、当該登録された第１接続情報に対応付けられた第２接続情報（ＳＳＩＤ，ＭＡＣアドレス等）が情報テーブル１４１から取得される。そして、情報テーブル１４１から取得された第２接続情報に基づいて、第１接続情報を取得した対向機との間でＷｉ−Ｆｉによる無線通信の接続が確立される。
従って、ＮＦＣによる近接場型の無線通信を利用して第１接続情報を取得することができるハンドオーバー機能に対応した対向機であれば、近接場型の無線通信によって対向機から第１接続情報を取得する簡単な操作によって、Ｗｉ−Ｆｉによる無線通信の接続が確立することができる。この場合、ＮＦＣからブルートゥースへのハンドオーバー機能により取得した第１接続情報を用いて第２接続情報が取得されることから、対向機に専用のソフトウェアをインストールすることなく、ＮＦＣからＷｉ−Ｆｉへのハンドオーバー機能を実現できる。
【００５７】
また、本実施形態に係る通信装置１によれば、Ｗｉ−Ｆｉによる無線通信が可能な周辺の対向機（通信装置２を含む）から第２接続情報（ＳＳＩＤ，ＭＡＣアドレス等）が取得され、周辺の対向機から取得された第２接続情報のリストが表示部１７において表示される（図６）。このリストに含まれる一の第２接続情報を情報テーブル１４１へ登録するように入力部１６から指示が入力されると、ＮＦＣからブルートゥースへのハンドオーバー機能により、ＮＦＣの無線通信を利用して対向機（通信装置２）から第１接続情報が取得される。対向機（通信装置２）から第１接続情報が取得されると、当該取得された第１接続情報と、入力部１６からの指示によってリストから選択された前記一の第２接続情報とが、互いに対応付けられて情報テーブル１４１に登録される。
従って、表示部１７に表示されるリストにおいて登録対象となる一の第２接続情報を選択する操作と、ＮＦＣの無線通信によって対向機から第１接続情報を取得する操作だけで、第１接続情報及び第２接続情報を情報テーブル１４１へ簡単に登録することができる。
【００５８】
更に、本実施形態に係る通信装置１によれば、情報テーブル１４１へ接続情報を登録する場合において、表示部１７のリストに含まれる一の第２接続情報を選択する指示が入力部１６において入力されると、ＮＦＣからブルートゥースへのハンドオーバー機能により対向機（通信装置２）から第１接続情報を取得する処理が直ちに行われるのではなく、当該一の第２接続情報を情報テーブル１４１へ登録するための指示の入力を促す画面（図８のデバイス情報ウィンドウ４）が表示部１７に表示される。当該画面の表示に従って、接続情報の登録を行うように入力部１６において指示が入力されると（登録ボタン４１が押下されると）、ＮＦＣからブルートゥースへのハンドオーバー機能により対向機（通信装置２）から第１接続情報を取得する処理が行われる。そのため、リスト中から一の第２接続情報を選択する指示の入力後、当該指示にミスがあるか否かを表示部１７の画面で確認できるため、指示のミスによる操作のやり直し（登録解除，再登録）が生じ難くなり、操作性を向上できる。
【００５９】
また、本実施形態に係る通信装置１によれば、情報テーブル１４１へ接続情報を登録する場合において、ＮＦＣからブルートゥースへのハンドオーバー機能により対向機（通信装置２）から第１接続情報を取得する動作を所定回数試みても第１接続情報を取得できない場合、登録を中止するための指示の入力を促す画面（図９のエラー表示用ウィンドウ５）が表示部１７に表示される。当該画面の指示に従って登録を中止する指示が入力部１６に入力されると（キャンセルボタン５１が押下されると）、ＮＦＣからブルートゥースへのハンドオーバー機能により対向機（通信装置２）から第１接続情報を取得する動作が中止される。
従って、例えば対向機がＮＦＣからブルートゥースへのハンドオーバー機能を有していない場合（あるいは当該機能を無効状態に設定している場合）や、対向機が近接場型の無線通信ができない離れた位置にある場合には、表示部１７への指示の入力によって、接続情報の登録動作を中止することができる。
【００６０】
本発明は上述した実施形態には限定されない。
すなわち、当業者は、本発明の技術的範囲又はその均等の範囲内において、上述した実施形態の構成要素に関し、様々な変更、コンビネーション、サブコンビネーション、並びに代替を行ってもよい。
【００６１】
上述した実施形態では、第１通信部１１の通信方式がブルートゥース、通信装置２の通信方式がＷｉ−Ｆｉである例を挙げているが、本発明はこの例に限定されない。すなわち、これらの通信方式は、他の通信方式に置き換えられてもよい。
【００６２】
上述した実施形態では、近接場通信部１３の通信方式がＮＦＣである例を挙げているが、本発明はこの例に限定されない。すなわち、近接場通信部１３の通信方式は、ＮＦＣ以外の規格に基づく近接場型の通信方式でもよい。
【符号の説明】
【００６３】
１，２…通信装置、１１…第１通信部、１２…第２通信部、１３…近接場通信部、１４…記憶部、１４１…情報テーブル、１５…記録媒体インターフェース部、１６…入力部、１７…表示部、１８…音声出力部、１９…制御部、２０…記録媒体、３…画面、４，６…デバイス情報ウィンドウ、５…エラー表示用ウィンドウ。
【図１】
2016019277.tif 000003
【図２】
2016019277.tif 000004
【図３】
2016019277.tif 000005
【図４】
2016019277.tif 000006
【図５】
2016019277.tif 000007
【図６】
2016019277.tif 000008
【図７】
2016019277.tif 000009
【図８】
2016019277.tif 000010
【図９】
2016019277.tif 000011
【図１０】
2016019277.tif 000012
【図１１】
2016019277.tif 000013
【図１２】
2016019277.tif 000014